(57)【要約】      （修正有）【課題】トンネル工事におけるアンカー鉄筋、ループ鉄筋、直進鉄筋の３方向の交差部を一括して締結することのできる三次元交差鉄筋締結金具を提供する。【解決手段】アンカー鉄筋３、ループ鉄筋４および直進鉄筋５の３方向交差部の締結金具であって、アンカー鉄筋３が挿通される挿通孔を有する二つの締結プレート１，２に、ネジ切りされているアンカー鉄筋３を挿通し、締結プレート１，２の前後を中間部挿入ナット６１及び先端部ナット７で螺合し、ループ鉄筋４および直進鉄筋５が強固に挟持される。締結プレート１，２は、屈曲内側面が互いに齟齬状に取付けられ、ループ鉄筋４および直進鉄筋５を挟持する。中間部挿入ナット６１はアンカー鉄筋３の中間部に螺合し、アンカー鉄筋３の基部はシート受け金具を介し支保工等に固定され、シート受け金具は、防水シートを破損せずに固定できるように構成されている。【選択図】図２
2011026930.tif 000002
【特許請求の範囲】
【請求項１】
アンカー鉄筋、ループ鉄筋および直進鉄筋の３方向交差部の締結金具であって、アンカー鉄筋が挿通される挿通孔を有する二つの締結プレートに、予めネジ切りされているアンカー鉄筋を挿通し、該締結プレートの前後を中間部挿入ナット及び先端部ナットで強固に螺合し、該二つの締結プレートにループ鉄筋および長手方向直進鉄筋が強固に挟持されるように構成したことを特徴とする三次元交差鉄筋締結金具。
【請求項２】
両端部が屈曲された二つの締結プレートは、屈曲内側面が互いに齟齬状に取付けられ、それぞれ締結プレート間で直交するループ鉄筋および直進鉄筋を強固に挟持するように構成されたことを特徴とする請求項１記載の三次元交差鉄筋締結金具。
【請求項３】
ヒンジ付きナット等の中間部挿入ナットをアンカー鉄筋の中間部に螺合したことを特徴とする請求項１記載の三次元交差鉄筋締結金具。
【請求項４】
アンカー鉄筋の基部はシート受け金具を介してトンネル内の支保工等に固定され、シート受け金具は防水シートを固定するように構成されたことを特徴とする請求項１記載の三次元交差鉄筋締結金具。
【請求項５】
シート受け金具にはアンカー鉄筋の基部が防水シートを押し込む孔部が形成されており、防水シートを破損せずに固定できるように構成されたことを特徴とする請求項１記載の三次元交差鉄筋締結金具。
【発明の詳細な説明】
【技術分野】
【０００１】  本発明は三次元交差鉄筋締結金具に関し、特にトンネル工事におけるアンカー鉄筋、ループ鉄筋、直進鉄筋の３方向の交差部を一括して締結することのできる三次元交差鉄筋締結金具を提供するものである。
【背景技術】
【０００２】  従来、種々の鉄筋締結金具が開発されているが、主に２方向に交差する鉄筋を締結するものであった。例えば、特開２００７−２７８０１０号や特開２００８−２１２６号等が開発されている。
【先行技術文献】
【特許文献】
【０００３】
【特許文献１】  特開２００７−２７８０１０公報
【特許文献２】  特開２００８−２１６１号公報
【０００４】  前記せる特開２００７−２７８０１０公報は、締結プレートとＵボルトを利用する締結具であり、締結鉄筋の直径に適合したＵボルトを使用することにより、直径が異なる複数種類の第１鉄筋と第２鉄筋を安定良く平行状態で締結固定させるものである。【０００５】  また、前記せる特開２００８−２１６１号公報は、前記公報と同様に締結プレートとＵボルトを利用する締結具である。
【発明の概要】
【発明が解決しようとする課題】
【０００６】  しかしながら、前記せる公報は、いずれも交差する２本の鉄筋を締結するものであってトンネル工事におけるアンカー鉄筋、ループ鉄筋、直進鉄筋の３方向の交差部を一括して締結することはできなかった。
【課題を解決するための手段】
【０００７】  アンカー鉄筋、ループ鉄筋および直進鉄筋の３方向交差部の締結金具であって、アンカー鉄筋が挿通される挿通孔を有する二つの締結プレートに、予めネジ切りされているアンカー鉄筋を挿通し、該締結プレートの前後を中間部挿入ナット及び先端部ナットで強固に螺合し、該二つの締結プレートにループ鉄筋および直進鉄筋が強固に挟持されるように構成したことを特徴とし、両端部が屈曲された二つの締結プレートは、屈曲内側面が互いに齟齬状に取付けられ、それぞれ締結プレート間で直交するループ鉄筋および直進鉄筋を強固に挟持するように構成されたことを特徴とし、ヒンジ付きナット等の中間部挿入ナットをアンカー鉄筋の中間部に螺合したことを特徴とし、アンカー鉄筋の基部はシート受け金具を介してトンネル内の支保工等に固定され、シート受け金具は防水シートを固定するように構成されたことを特徴とし、且つ、シート受け金具にはアンカー鉄筋の基部が防水シートを押し込む孔部が形成されており、防水シートを破損せずに固定できるように構成されたことを特徴とする三次元交差鉄筋締結金具を提供する。
【発明の効果】
【０００８】  本発明の三次元交差鉄筋締結金具は少ない部品で、３方向に交差する鉄筋を強固に締結することのできる三次元交差鉄筋締結金具であり、例えばトンネル工事等における足場の悪い所でも、トンネル内のアンカー鉄筋、ループ鉄筋および直進鉄筋の３方向交差部を少ない部品で強固に締結することのできる締結金具を提供することができる。
【図面の簡単な説明】
【０００９】
【図１】三次元交差鉄筋締結金具の構成部品である締結プレートの斜視図である。
【図２】締結状態斜視図である。
【図３】三次元交差鉄筋締結金具の構成部品である締結プレートの斜視図である。
【図４】ヒンジ付きナットの開放状態の斜視図である。
【図５（ａ）】ヒンジ付きナットの使用状態を説明する斜視図である。
【図５（ｂ）】ヒンジ付きナットの使用状態を説明する斜視図である。
【図６】トンネル内三次元交差鉄筋締結金具の締結状態側面図である。
【図７】トンネル内三次元交差鉄筋締結金具の締結状態側面図である。
【発明を実施するための形態】
【００１０】  以下、図面に示す実施例に基づき、本発明の三次元交差鉄筋締結金具について具体的に説明する。図面に於いて、図１は三次元交差鉄筋締結金具の構成部品である締結プレートの斜視図である。図２は締結状態斜視図である。図３は三次元交差鉄筋締結金具の構成部品である締結プレートの斜視図である。図４はヒンジ付きナットの開放状態の斜視図である。図５（ａ）はヒンジ付きナットの使用状態を説明する斜視図である。図５（ｂ）はヒンジ付きナットの使用状態を説明する斜視図である。図６はトンネル内三次元交差鉄筋締結金具の締結状態側面図である。図７はトンネル内三次元交差鉄筋締結金具の締結状態側面図である。
【００１１】    図１乃至図２の斜視図に示すように、本発明の三次元交差鉄筋締結金具の構成部品である締結プレート１はプレート平面部１０に孔部１３が設けられ、締結プレート１の両端部は屈曲された形状で、それぞれ屈曲部１１を有し、屈曲された先端のエッジ部にはテーパー部１２が形成されている。
【００１２】  また、本発明の三次元交差鉄筋締結金具の構成部品である締結プレート２はプレート平面部２０に孔部２３が設けられ、締結プレート２の両端部は屈曲された形状で、それぞれ屈曲部２１を有し、屈曲された先端のエッジ部にはテーパー部２２が形成されている。
【００１３】  図２に示すように、両端部が屈曲された二つの締結プレート１，２は、屈曲内側面が互いに齟齬状に取付けられ、アンカー鉄筋３が挿通される挿通孔１３，２３を有する二つの締結プレート１，２に、予めネジ切りされているアンカー鉄筋３を挿通し、該締結プレート１，２の前後を中間部挿入ナット６１及び先端部ナット７で強固に螺合され、該二つの締結プレート１，２にループ鉄筋４および直進鉄筋５が強固に挟持される。
【００１４】  図３に示す締結プレート２０にはスリット部２４が形成されており、アンカー欽筋３の中間部にはめ込むときに作業がしやすくなっている。
【００１５】  中間部挿入ナット６１及び先端部ナット７の強力な締め付けに伴って、直進鉄筋５は連結プレート１の屈曲された先端のエッジ部のテーパー部１２の作用で連結プレート１の内側へ付勢される。
【００１６】  また、ループ鉄筋４は、中間部挿入ナット６１及び先端部ナット７の強力な締め付けに伴って、連結プレート２の屈曲された先端のエッジ部のテーパー部２２の作用で連結プレート２の内側へ付勢される。
【００１７】  図４はヒンジ６２を有するナット等の中間部挿入ナット６１をアンカー鉄筋３の中間部に螺合して強固に締め付けて三次元交差鉄筋が締結される。
【００１８】  アンカー鉄筋３の基部はシート受け金具３２を介してトンネル内の支保工等８に固定されるが、シート受け金具３２に図６乃至図７に示すように固定された防水シートを破損しなおようにアンカー鉄筋３の基部が当接される個所には、孔部３３が形成されており、アンカー鉄筋３の基部が防水シート３１を孔部３３に押し込むようになっており、防水シート３１を破損せずに固定することができる。
【００１９】  トンネル工事等で３方向交差鉄筋を締結する際、狭い個所で作業がしづらい場合、中間部挿入ナット６１をアンカー鉄筋３の中間部に螺合するとき、図４乃至図５に示すような中間部挿入ナット６１等を用いることができる。
【００２０】  また、中間部挿入ナット６１は、図４乃至図５に示すヒンジ付きナットに限定されるものではない。
【産業上の利用可能性】
【００２１】  本発明の三次元交差鉄筋締結金具は、特に部品が少なく、トンネル工事等におけるアンカー鉄筋３、ループ鉄筋４、直進鉄筋５の３方向の交差部を一括して締結する場合に有用である。
【符号の説明】
【００２２】１    締結プレート
１０  プレート平面部
１１  屈曲部
１２  テーパー部
１３  孔部
２    締結プレート
２０  プレート平面部
２１  屈曲部
２２  テーパー部
２３  孔部
２４  スリット部
３    アンカー鉄筋
３０  締結プレート
３１  防水シート
３２  シート受金具
３３  孔部
４    ループ鉄筋
５    直進鉄筋
６    ナット
６０  Ｕボルト
６１  中間部挿入ナット
６２  ヒンジ
６３  嵌着部
６４  嵌着部
７    ナット
７１  ナット
８    支保工等
９    トンネル壁面
【図１】
2011026930.tif 000003
【図２】
2011026930.tif 000004
【図３】
2011026930.tif 000005
【図４】
2011026930.tif 000006
【図５】
2011026930.tif 000007
【図６】
2011026930.tif 000008
【図７】
2011026930.tif 000009